(57)【要約】  【課題】  木質バイオマス発電施設にて発生する木質系のタール含有廃水を効率よく処理可能な処理方法を提供する。  【解決手段】  木質系のタール含有廃水をタンクに貯蔵する廃水貯蔵工程５と、廃水を比重差によって重質タールと含水軽質タールとに分離する比重分離工程６と、比重分離した重質タールと含水軽質タールとを個別のタンクに貯蔵するタール貯蔵工程７と、貯蔵した含水軽質タールを加熱して軽質タールと水蒸気とに分離する加熱分離工程１０と、前記重質タールを燃焼させるバーナを備えた燃焼処理炉の炉本体内に前記軽質タールと水蒸気とを個別に導入して燃焼処理するタール燃焼処理工程１１と、前記バーナに供給する燃焼用空気を所定温度に予熱する燃焼用空気予熱工程１２とを有する。【選択図】  図１
2020193764.tif 000002
【特許請求の範囲】
【請求項１】
木質バイオマス発電施設にて発生する木質系のタール含有廃水の処理方法であって、前記タール含有廃水をタンクに貯蔵する廃水貯蔵工程と、貯蔵したタール含有廃水を比重差によって重質タールと含水軽質タールとに分離する比重分離工程と、該比重分離した重質タールと含水軽質タールとを個別のタンクに貯蔵するタール貯蔵工程と、前記含水軽質タールを加熱して水分を蒸発させて軽質タールとタール揮発成分を含んだ水蒸気とに分離する加熱分離工程と、前記重質タールを燃焼させるバーナを備えた燃焼処理炉の炉本体内に前記軽質タールと水蒸気とを個別に導入して燃焼処理するタール燃焼処理工程と、前記バーナに供給する燃焼用空気を所定温度に予熱する燃焼用空気予熱工程とを有し、タール含有廃水から分離した重質タールを所定温度まで加熱し、予熱した燃焼用空気を前記燃焼処理炉のバーナに供給しながら重質タールをバーナの燃料として燃焼しつつ、含水軽質タールから分離した軽質タールと水蒸気とを前記炉本体内に導入して燃焼処理することを特徴とする木質バイオマス発電施設にて発生する木質系のタール含有廃水の処理方法。
【請求項２】
前記燃焼処理炉の予熱運転時には、前記木質バイオマス発電施設にて生成した発電用の熱分解ガスを前記燃焼処理炉の炉本体内に吹き込んで補助燃料として燃焼させることを特徴とする請求項１記載の木質バイオマス発電施設にて発生する木質系のタール含有廃水の処理方法。
【請求項３】
前記バーナの燃焼用空気を燃焼処理炉から導出される排ガスと熱交換させて予熱することを特徴とする請求項１または２記載の木質バイオマス発電施設にて発生する木質系のタール含有廃水の処理方法。
【請求項４】
含水軽質タールから加熱分離した水蒸気を前記燃焼処理炉の炉本体の接線方向から導入することを特徴とする請求項１乃至３の何れかに記載の木質バイオマス発電施設にて発生する木質系のタール含有廃水の処理方法。
【発明の詳細な説明】
【技術分野】
【０００１】
本発明は、木質バイオマス発電施設にて木質系バイオマスを熱分解して生成した可燃性の熱分解ガスを精製処理するにあたり、副産物として発生する木質系のタール含有廃水の処理方法に関する。
【背景技術】
【０００２】
資源の有効利用として、廃木材や間伐材などの木質系のバイオマスをガス化炉にて無酸素あるいは低酸素下で熱分解して水素やメタンなどを含んだ可燃性の熱分解ガスを生成し、該可燃性の熱分解ガスを精製処理した上でガスエンジン等にて燃焼させて発電に利用する木質バイオマス発電が知られている。
【０００３】
なお、熱分解ガスの精製処理時には副産物として多量のタール含有廃水が発生するため、従来、回収した前記タール含有廃水を産業廃棄物として廃棄処理したり、高温に加熱維持した燃焼処理炉に投入して焼却処理するなどしている（特許文献１参照）。
【０００４】
また、木質系のタールを単に産廃として廃棄処理したり、焼却処理するのではなく、有価物として利用する一例として、本出願人は、前記タールを予熱することでバーナ燃料として燃焼可能とし、ボイラーやドライヤ等の加熱や乾燥に利用可能なバーナ装置を提案している（特許文献２参照）。
【先行技術文献】
【特許文献】
【０００５】
【特許文献１】特開２００８−２５８７６号公報
【特許文献２】特開２０１０−９１１９８号公報
【発明の概要】
【発明が解決しようとする課題】
【０００６】
しかしながら、現状、重油やプロパンガス等の化石燃料に代えて木質系のタールをバーナ燃料等として有効利用しようとするケースは少なく、多量に余ってしまっている。したがって、前記のように廃棄処理するか、燃焼処理炉等に持ち込んで焼却処理するしかないものの、産廃として廃棄処理するには多額の処理費用が掛かり、また燃焼処理炉での焼却時にも多量の化石燃料を要してそれなりに費用が掛かるため、化石燃料の使用量をできるだけ抑えられて効率よく処理できる処理方法が望まれる。
【０００７】
本発明は上記の点に鑑み、木質バイオマス発電施設にて発生する木質系のタール含有廃水を効率よく処理可能な処理方法を提供することを課題とする。
【課題を解決するための手段】
【０００８】
上記課題を解決するために、本発明者らは、本出願人が以前提案した木質系のタールを燃料とするバーナ装置に着目し、該バーナ装置を燃焼処理炉のバーナに採用すれば、バイオマス発電施設にて発生するタール含有廃水に含まれるタール成分を燃焼処理炉のバーナ燃料として有効利用でき、化石燃料の使用量を低減しながらもタール含有廃水を効率よく処理できるのではないかと考え、本発明に至ったものである。
【０００９】
即ち、本発明に係る請求項１記載の木質バイオマス発電施設にて発生する木質系のタール含有廃水の処理方法では、タール含有廃水をタンクに貯蔵する廃水貯蔵工程と、貯蔵したタール含有廃水を比重差によって重質タールと含水軽質タールとに分離する比重分離工程と、該比重分離した重質タールと含水軽質タールとを個別のタンクに貯蔵するタール貯蔵工程と、前記含水軽質タールを加熱して水分を蒸発させて軽質タールとタール揮発成分を含んだ水蒸気とに分離する加熱分離工程と、前記重質タールを燃焼させるバーナを備えた燃焼処理炉の炉本体内に前記軽質タールと水蒸気とを個別に導入して燃焼処理するタール燃焼処理工程と、前記バーナに供給する燃焼用空気を所定温度に予熱する燃焼用空気予熱工程とを有し、タール含有廃水から分離した重質タールを所定温度まで加熱し、予熱した燃焼用空気を前記燃焼処理炉のバーナに供給しながら重質タールをバーナの燃料として燃焼しつつ、含水軽質タールから分離した軽質タールと水蒸気とを前記炉本体内に導入して燃焼処理することを特徴としている。
【００１０】
また、本発明に係る請求項２記載の木質バイオマス発電施設にて発生する木質系のタール含有廃水の処理方法では、前記燃焼処理炉の予熱運転時には、前記木質バイオマス発電施設にて生成した発電用の熱分解ガスを前記燃焼処理炉の炉本体内に吹き込んで補助燃料として燃焼させることを特徴としている。
【００１１】
また、本発明に係る請求項３記載の木質バイオマス発電施設にて発生する木質系のタール含有廃水の処理方法では、前記バーナの燃焼用空気を燃焼処理炉から導出される排ガスと熱交換させて予熱することを特徴としている。
【００１２】
また、本発明に係る請求項４記載の木質バイオマス発電施設にて発生する木質系のタール含有廃水の処理方法では、含水軽質タールから加熱分離した水蒸気を前記燃焼処理炉の炉本体の接線方向から導入することを特徴としている。
【発明の効果】
【００１３】
本発明に係る請求項１記載の木質バイオマス発電施設にて発生する木質系のタール含有廃水の処理方法によれば、タール含有廃水をタンクに貯蔵する廃水貯蔵工程と、貯蔵したタール含有廃水を比重差によって重質タールと含水軽質タールとに分離する比重分離工程と、該比重分離した重質タールと含水軽質タールとを個別のタンクに貯蔵するタール貯蔵工程と、前記含水軽質タールを加熱して水分を蒸発させて軽質タールとタール揮発成分を含んだ水蒸気とに分離する加熱分離工程と、前記重質タールを燃焼させるバーナを備えた燃焼処理炉の炉本体内に前記軽質タールと水蒸気とを個別に導入して燃焼処理するタール燃焼処理工程と、前記バーナに供給する燃焼用空気を所定温度に予熱する燃焼用空気予熱工程とを有し、タール含有廃水から分離した重質タールを所定温度まで加熱し、予熱した燃焼用空気を前記燃焼処理炉のバーナに供給しながら重質タールをバーナの燃料として燃焼しつつ、含水軽質タールから分離した軽質タールと水蒸気とを前記炉本体内に導入して燃焼処理するので、タール含有廃水から分離回収した可燃性の重質タールを燃焼処理炉のバーナ用の燃料として有効利用できる一方、残りの難燃性の含水軽質タールも前記燃焼処理炉の炉本体内に導入することで燃焼処理でき、木質バイオマス発電施設にて発生するタール含有廃水を重油等の化石燃料をできるだけ使用することなく効率よく処理できる。
【００１４】
また、本発明に係る請求項２記載の木質バイオマス発電施設にて発生する木質系のタール含有廃水の処理方法によれば、前記燃焼処理炉の予熱運転時には、前記木質バイオマス発電施設にて生成した発電用の熱分解ガスを前記燃焼処理炉の炉本体内に吹き込んで補助燃料として燃焼させるので、燃焼処理炉の予熱運転時における化石燃料の使用量も低減できる上、早期に予熱運転を完了できてタール含有廃水を効率よく処理できる。また、補助燃料として利用する熱分解ガスは、近傍の木質バイオマス発電施設にて発電用に生成したものを流用するので、比較的簡単にかつ安価に供給できる上、環境負荷の軽減効果も期待できる。
【００１５】
また、本発明に係る請求項３記載の木質バイオマス発電施設にて発生する木質系のタール含有廃水の処理方法によれば、前記バーナの燃焼用空気を燃焼処理炉から導出される排ガスと熱交換させて予熱するので、燃焼処理炉にて発生した排ガスが保有する熱エネルギーを無駄なく有効利用でき、環境負荷を一層軽減することが期待できる。
【００１６】
また、本発明に係る請求項４記載の木質バイオマス発電施設にて発生する木質系のタール含有廃水の処理方法によれば、含水軽質タールから加熱分離した水蒸気を前記燃焼処理炉の炉本体の接線方向から導入するので、水蒸気を炉本体の内壁に沿って旋回させながらバーナからの燃焼ガスと密に接触させることができ、水蒸気に含まれるタール揮発成分を効率よく燃焼処理できる。
【図面の簡単な説明】
【００１７】
【図１】本発明に係る木質バイオマス発電施設にて発生する木質系のタール含有廃水の処理方法のフロー図である。
【図２】同上の一実施例を示す概略説明図である。
【図３】図２の燃焼処理炉の一部切り欠き詳細図である。
【図４】図３の一部を省略したＡ−Ａ断面図である。
【発明を実施するための形態】
【００１８】
本発明に係る木質系のタール含有廃水の処理方法にあっては、木質バイオマス発電施設にて発生する木質系のタール含有廃水を一時的にタンクに貯蔵する廃水貯蔵工程と、貯蔵したタール含有廃水を適宜の比重分離器にて比較的比重が大きく可燃性の重質タールと比較的比重が小さく水分を多く含んで難燃性の含水軽質タールとに分離する比重分離工程と、該比重分離した重質タールと含水軽質タールとを個別のタンクに貯蔵するタール貯蔵工程とを有する。
【００１９】
また、貯蔵した含水軽質タールを加熱して含有水分を蒸発させてタール揮発成分を若干含む水蒸気と軽質タールとに分離する加熱分離工程と、前記重質タールを燃焼させるバーナを備えた燃焼処理炉の炉本体内に前記水蒸気と軽質タールとを個別に導入して燃焼処理するタール燃焼処理工程と、前記バーナに供給する燃焼用空気（外気）を、重質タールの霧化を促進してバーナ燃料として燃焼させ得る所定温度、例えば略２００〜３００℃程度の高温に予熱する燃焼用空気予熱工程とを有する。
【００２０】
また、タール含有廃水から分離した高粘度の重質タールをバーナ燃料として円滑に供給可能でかつ微粒化しやすい程度の粘度に調整し得る所定温度、例えば略７０〜９０℃程度に加熱し、予熱した前記燃焼用空気（予熱空気）を前記燃焼処理炉のバーナに供給しながら重質タールをバーナの燃料として燃焼しつつ、含水軽質タールから分離した軽質タールと水蒸気とを高温雰囲気下の前記炉本体内に個別に導入して燃焼処理する。
【００２１】
前記燃焼処理炉としては、例えば、内壁面に蓄熱性を有するキャスターを周設した略円筒状の炉本体を備え、該炉本体の基端部には重質タールを圧縮空気と共に噴射する二流体方式の噴射ノズルを具備したバーナと、重油やプロパンガス等の化石燃料を使用する予熱バーナとを並設する。
【００２２】
重質タールは常温下では重油等の化石燃料と比較すると高粘度で難燃性であるため、そのままではバーナ燃料として利用することは難しいものの、重質タールを略７０〜９０℃程度に加熱維持して粘度を下げた上で、二流体方式の噴射ノズルを採用して圧縮空気と共に噴射することで微粒化しつつ、燃焼用空気を適宜の加熱手段にて略２００〜３００℃程度の高温に予熱することで重質タールの霧化を促進し、難燃性の重質タールをバーナ燃料として安定して燃焼可能とする。
【００２３】
また、好ましくは、前記燃焼処理炉を木質バイオマス発電施設の近傍に併設し、前記燃焼処理炉の予熱運転時に、前記木質バイオマス発電施設にて発電用に生成した熱分解ガスの一部を前記燃焼処理炉の炉本体内に吹き込んで補助燃料として燃焼させるようにしてもよく、これにより予熱運転時における化石燃料の使用量も低減できる上、早期に予熱運転を完了できてタール含有廃水を効率よく処理できる。
【００２４】
さらに、好ましくは、前記バーナ用の燃焼用空気（外気）を予熱するにあたり、前記燃焼処理炉から導出される排ガスと熱交換させて予熱するようにしてもよく、これにより燃焼処理炉にて発生した高温の排ガスが保有する熱エネルギーを無駄なく有効利用できる。
【００２５】
またさらに、好ましくは、含水軽質タールから加熱分離した水蒸気を前記燃焼処理炉の炉本体の接線方向から導入するようにしてもよく、これにより水蒸気を炉本体の内壁に沿って旋回させながらバーナからの燃焼ガスと密に接触させることができ、水蒸気に含まれるタール揮発成分を効率よく燃焼処理できる。
【００２６】
そして、木質バイオマス発電施設にて発生する木質系のタール含有廃水を処理するにあたっては、発生した前記タール含有廃水を廃水貯蔵タンクに随時投入して貯蔵しておく。タール含有廃水は、比較的燃えやすくてバーナ燃料として利用可能な重質タールと、水分を多く含んで比較的燃えにくくバーナ燃料としては不適な含水軽質タールとからなり、前記重質タールは比重が大きい一方、含水軽質タールは比重が小さい特徴を有する。
【００２７】
前記特徴（比重差）を利用し、前記廃水貯蔵タンクに貯蔵したタール含有廃水を、例えば重力沈降式や遠心分離式等の適宜の比重分離機にて重質タールと含水軽質タールとに分離し、この比重分離した重質タールと含水軽質タールとをそれぞれ個別の貯蔵タンクに貯蔵する。次いで、比重分離した前記含水軽質タールを加熱して含有水分を蒸発させ、軽質タールとタール揮発成分を含んだ水蒸気とに更に分離する。
【００２８】
そして、燃焼処理炉の予熱バーナを点火し、重油やプロパンガス等の化石燃料を燃焼させ、必要に応じて近傍の木質バイオマス発電施設にて発電用に生成した熱分解ガスの一部を前記燃焼処理炉の炉本体内に吹き込んで補助燃料として燃焼させて燃焼処理炉の炉本体内を予熱していき、炉本体内がある程度予熱されれば前記予熱バーナを消火してバーナの燃焼に切り替える。
【００２９】
このとき、前記バーナでは重油等の化石燃料と比較すれば高粘度で難燃性の重質タールを燃料とするため、前記重質タールを加熱して粘度を低下させた上で圧縮空気と共に噴射して微粒化しつつ、燃焼用空気も予熱することで噴射した前記重質タールを霧化しながら安定燃焼させる。
【００３０】
そして、炉本体内の温度がタール揮発成分や軽質タールを完全燃焼可能な略８５０℃程度になれば、含水軽質タールから加熱分離した若干のタール揮発成分を含む水蒸気と軽質タールとを前記炉本体内へと個別に導入して燃焼処理する。
【００３１】
このように、木質バイオマス発電施設にて発生するタール含有廃水を可燃性の重質タールと難燃性の含水軽質タールとにその比重差を利用して比重分離し、重質タールは加熱昇温した上で微粒化すると共に、燃焼用空気も予熱することによって霧化を促進し、燃焼処理炉のバーナの燃料として有効に利用可能とする一方、含水率が高くてバーナ燃料としては不適な含水軽質タールは加熱してタール揮発成分を含んだ水蒸気と軽質タールとに更に加熱分離した上で、前記バーナからの燃焼ガスが供給される高温雰囲気下の燃焼処理炉の炉本体内に個別に導入することで効率よく燃焼処理でき、重油等の化石燃料の使用量を低減しながらも多くのタール含有廃水を好適に処理できる。
【実施例】
【００３２】
以下、本発明の一実施例を図面に基づいて説明する。
【００３３】
図１は木質バイオマス発電施設にて副産物として発生する木質系のタール含有廃水の処理方法を示したフロー図であって、図１中の一点鎖線で囲んだ木質バイオマス発電１に含まれる、ガス化工程２、ガス精製工程３、発電工程４と、前記ガス精製工程３にて発生するタール含有廃水を燃焼処理する、廃水貯蔵工程５、比重分離工程６、タール貯蔵工程７（含水軽質タール貯蔵工程８、重質タール貯蔵工程９）、加熱分離工程１０、タール燃焼処理工程１１、燃焼用空気予熱工程１２とからなる。
【００３４】
前記ガス化工程２では、廃木材や間伐材等の木質系のバイオマスを木質バイオマス発電施設のガス化炉にて無酸素下または低酸素下で熱分解して可燃性の熱分解ガスを生成する。また、前記ガス精製工程３では、生成した可燃性の熱分解ガスからガスエンジンでの燃焼時に悪影響を及ぼすタール成分をガス精製機にて除去して精製する。また、前記発電工程４では、精製した熱分解ガスを発電機であるガスエンジンに供給・燃焼させて発電する。
【００３５】
また、前記廃水貯蔵工程５では、前記ガス精製工程３にて副産物として発生するタール含有廃水を廃水貯蔵タンクに随時投入して貯蔵する。また、前記比重分離工程６では、前記廃水貯蔵タンクに貯蔵したタール含有廃水を適宜のタイミングで（例えば、廃水貯蔵タンクが略一杯になれば）、水分を多く含んで比較的燃えにくくかつ比重の小さい含水軽質タールと、比較的燃えやすくかつ比重の大きい重質タールとに適宜の比重分離機にて比重分離する。また、前記タール貯蔵工程７のうち、含水軽質タール貯蔵工程８では、タール含有廃水から比重分離した含水軽質タールを含水軽質タール貯蔵タンクに貯蔵し、重質タール貯蔵工程９では、タール含有廃水から比重分離した重質タールを重質タール貯蔵タンクに貯蔵する。
【００３６】
また、前記加熱分離工程１０では、含水軽質タール貯蔵タンクに貯蔵した難燃性の含水軽質タールをヒータ等の含水軽質タール加熱手段にて略７０〜９０℃程度に加熱し、含有水分を蒸発させてタール揮発成分を若干含む水蒸気と軽質タールとに更に分離する。また、前記タール燃焼処理工程１１では、前記重質タールを燃焼させるバーナを備えた燃焼処理炉の炉本体内に前記軽質タールと水蒸気とを個別に導入して燃焼処理する。また、前記燃焼用空気予熱工程１２では、前記燃焼処理炉のバーナに供給する燃焼用空気（外気）を、燃焼処理炉から導出される高温の排ガスと熱交換器にて熱交換させて略２００〜３００℃程度に予熱する。
【００３７】
そして、前記重質タール貯蔵工程９にて重質タール貯蔵タンクに貯蔵した重質タールをヒータ等の重質タール加熱手段にて、バーナ燃料として円滑に供給可能でかつ微粒化しやすい程度の粘度に調整し得る、略７０〜９０℃程度に加熱した上で、略２００〜３００℃程度に予熱した前記燃焼用空気（予熱空気）を前記燃焼処理炉のバーナに供給しながら重質タールを前記バーナの燃料として燃焼しつつ、前記加熱分離工程１０にて含水軽質タールから加熱分離した軽質タールと水蒸気とを高温雰囲気下にある前記燃焼処理炉の炉本体内に個別に導入して燃焼処理するようにしている。
【００３８】
図２は、木質バイオマス発電施設、並びに前記タール燃焼処理工程１１で使用する燃焼処理炉及びその付帯装置等の一実施例を示す概略説明図である。図２中の１３は木質バイオマス発電施設であって、該木質バイオマス発電施設１３内には廃木材や間伐材などの木質系のバイオマスを無酸素あるいは低酸素下で熱分解して可燃性の熱分解ガスを生成するガス化炉１４、該ガス化炉１４にて生成した熱分解ガスを冷却して不純物であるタール成分を凝縮・除去して精製処理するガス精製機１５、精製処理した熱分解ガスを貯蔵する熱分解ガス貯蔵タンク１６、貯蔵した熱分解ガスを所定量ずつ供給・燃焼させて発電するガスエンジン１７等を備えている。１８は前記熱分解ガス貯蔵タンク１６から前記ガスエンジン１７に熱分解ガスを供給する熱分解ガス供給配管である。
【００３９】
前記木質バイオマス発電施設１３の近傍には、前記ガス精製機１５にて熱分解ガスから除去したタール成分を含んだ廃水（タール含有廃水）を貯蔵する廃水貯蔵タンク１９を備えていると共に、該廃水貯蔵タンク１９に貯蔵したタール含有廃水をバーナ燃料として利用可能な可燃性の重質タールと、含水率が高くてバーナ燃料としては不適な難燃性の含水軽質タールとにそれぞれの比重差を利用して比重分離する、例えば重力沈降式や遠心分離式等の比重分離機２０を備えている。
【００４０】
また、前記木質バイオマス発電施設１３の近傍には、前記廃水貯蔵タンク１９及び比重分離機２０と併せて、該比重分離機２０にてタール含有廃水から分離回収した重質タールを貯蔵する重質タール貯蔵タンク２１と、含水軽質タールを貯蔵する含水軽質タール貯蔵タンク２２と、前記各貯蔵タンク２１、２２に貯蔵する重質タール及び含水軽質タールを燃焼処理する燃焼処理炉２３とを併設している。
【００４１】
前記燃焼処理炉２３は、図２、３に示すように、内壁面に蓄熱性・耐熱性のキャスター２４を周設した横置き型で略円筒状の炉本体２５を備え、該炉本体２５の基端部側には重質タールをコンプレッサ２６から供給される圧縮空気と共に微粒化しながら噴射する二流体方式の噴射ノズル２７を具備したバーナ２８と、化石燃料であるプロバンガスを使用する予熱バーナ２９とを備えている。
【００４２】
また、前記バーナ２８や予熱バーナ２９の火炎が形成されて特に高温となる前記炉本体２５の基端部側には、含水軽質タールから加熱分離したタール揮発成分を含んだ水蒸気を炉本体２５の接線方向より導入する水蒸気導入管３０を接続し、炉本体２５内に導入した水蒸気が、図４中の矢印にて示すように、炉本体２５の内壁に周設した蓄熱性のキャスター２４表面に沿って旋回しながら下流方向へと流下する構成としている。これにより、前記水蒸気を高温下でバーナ２８からの燃焼ガスと密に接触させることができ、水蒸気中に少量しか含まれていないことで燃焼させることの困難なタール揮発成分を効率よく燃焼処理できる。
【００４３】
なお、本実施例では、図４に示すように、水蒸気導入管３０を二本接続しているが、何らこれに限定されず、例えば一本だけにすることもできる。ただし、本実施例のように、炉本体２５の円周方向に沿って接続位置を若干ずらして複数接続することにより、図４中の矢印にて示すように、各水蒸気導入管３０から導入される水蒸気同士を合流時に撹拌でき、含有するタール揮発成分の燃焼効率の向上が期待できるものとなる。
【００４４】
また、前記水蒸気導入管３０の接続位置よりも下流側の前記炉本体２５の中間部には、含水軽質タールから加熱分離した軽質タールをコンプレッサ３１から供給される圧縮空気と共に微粒化しながら噴射する二流体方式の噴射ノズル３２を具備した軽質タール導入管３３を接続しており、該軽質タール導入管３３から噴射・導入した軽質タールの微粒分が高温下の炉本体２５内で霧化し、その状態で前記バーナ２８からの燃焼ガスと接触することで効率よく燃焼処理可能な構成としている。
【００４５】
なお、前記炉本体２５の炉長としては、水蒸気中に含まれるタール揮発成分や軽質タールが略８５０℃程度の高温雰囲気下で完全燃焼可能な程度、例えば炉本体２５基端部の水蒸気導入管３０から導入される水蒸気や、炉本体２５中間部の軽質タール導入管３３から導入される軽質タール微粒分が炉本体２５内を通過するのに略２秒以上かかる炉長とすると好ましい。
【００４６】
また、前記軽質タール導入管３３の接続位置よりも更に下流側の炉本体２５の終端部側の内壁面には縮径部（絞り部）３４を形成しており、図３中の矢印にて示すように、炉本体２５の内壁である蓄熱性のキャスター２４表面に沿って旋回しながら下流方向へと流下する水蒸気及び軽質タールの混合気の一部が前記縮径部３４にぶつかって上流方向へと押し返されることで炉本体２５内に不規則な乱流が生じ、これにより前記バーナ２８からの燃焼ガスとの接触機会を増やして水蒸気中に含まれるタール揮発成分や軽質タールの燃焼効率の向上を図っている。
【００４７】
図中の３５は前記燃焼処理炉２３の炉本体２５から排ガスを導出する排気ダクトであって、該排気ダクト３５の途中には排ガス温度検出用の排ガス温度センサ３６と、熱交換器３７とを備えている。図中の３８は前記バーナ２８へ予熱した燃焼用空気を供給する予熱空気供給ダクトであって、該予熱空気供給ダクト３８の基端部には送風機３９を備えていると共に、予熱空気供給ダクト３８の途中を前記熱交換器３７と連結しており、前記送風機３９から供給される常温の燃焼用空気（外気）を前記炉本体２５から導出される高温の排ガスと前記熱交換器３７にて熱交換させて予熱する構成としている。
【００４８】
なお、本実施例では、前記バーナ２８へ供給する燃焼用空気を予熱するにあたり、前記燃焼処理炉２３の炉本体２５から導出される排ガスと熱交換させて予熱するようにしたが、これに限定されるものではなく、例えば、ヒータ等で予熱したり、近傍の前記木質バイオマス発電施設１３での発電時に発生する高温の排ガスと熱交換させて予熱するようにしてもよい。
【００４９】
また、前記予熱空気供給ダクト３８には、前記熱交換器３７にて予熱した予熱空気の温度を検出する予熱空気温度センサ４０と、予熱空気の風量を検出する風量センサ４１と、前記バーナ２８に供給する予熱空気量を調整する予熱空気量調整ダンパー４２とを備えている。
【００５０】
予熱空気は予熱温度が高くなるにつれて熱膨張により酸素濃度が低下するため、前記予熱空気温度センサ４０、風量センサ４１の検出値、及びバーナ２８の燃焼量に基づいて前記予熱空気量調整ダンパー４２の開度を調整制御し、バーナ２８に十分な空気量（酸素量）を供給して安定燃焼可能とする構成としている。なお、前記予熱空気量調整ダンパー４２に代えて、前記送風機３９をインバータ式として送風機３９の送風量を直接調整する構成としても良い。
【００５１】
また、前記重質タール貯蔵タンク２１からバーナ２８の噴射ノズル２７へと重質タールを供給する重質タール供給配管４３の途中には、供給ポンプ４４と、バーナ燃焼量に応じて重質タールの供給量を調整する重質タール供給量調整バルブ４５とを備えている。
【００５２】
前記重質タール貯蔵タンク２１には温水ヒータ４６を備えており、該温水ヒータ４６にて重質タール温度を略７０〜９０℃程度に加熱維持し、常温付近では高粘度の重質タールの粘度を下げて、前記バーナ２８の噴射ノズル２７へと円滑に流動でき、かつ噴射時に微粒化しやすいように図っている。
【００５３】
また、図中の４７は予熱バーナ２９に燃料として供給するプロパンガスを貯蔵するガスボンベであって、該ガスボンベ４７と前記予熱バーナ２９とはガス供給配管４８にて連結していると共に、該ガス供給配管４８の途中には開閉バルブ４９を備えている。なお、前記予熱バーナ２９の燃料としては、前記プロパンガスに代えてＬＮＧや重油、灯油等も採用できる。
【００５４】
また、前記含水軽質タール貯蔵タンク２２にも温水ヒータ５０を備えており、該温水ヒータ５０にて含水軽質タール貯蔵タンク２２内の含水軽質タールを加熱して含有水分を蒸発させ、若干のタール揮発成分を含む水蒸気と軽質タールとに分離する構成としている。水分を多く含む含水軽質タールは重質タール以上に難燃性でバーナ燃料としては不適であり、またそのままでは燃焼させることも容易ではないものの、加熱してタール揮発成分を含む水蒸気と軽質タールとに分離した上で、高温雰囲気下の炉本体２５内のバーナ火炎付近に（火炎に直接晒すように）個別に導入させることで前記タール分を十分に燃焼処理可能となる。
【００５５】
図中の５１は前記含水軽質タール貯蔵タンク２２内で加熱分離した軽質タールを、炉本体２５中間部の軽質タール導入管３３の噴射ノズル３２へと供給する軽質タール供給配管であって、該軽質タール供給配管５１の途中には供給ポンプ５２と、軽質タールの温度を検出する軽質タール温度センサ５３とを備えている。
【００５６】
なお、軽質タールの温度が１００℃以上になると、軽質タール内に若干残留している水分が前記軽質タール供給配管５１内で蒸発し、タール成分が濃縮して配管内で閉塞する可能性があるため、前記温水ヒータ５０へ供給する温水量調整用の流量調整バルブ５４を前記軽質タール供給配管５１の軽質タール温度センサ５３の検出温度に基づき、例えば検出温度が略７０〜９０℃を維持するように開閉制御する構成としている。
【００５７】
図中の５５は含水軽質タール貯蔵タンク２２内で加熱分離した若干の揮発タール成分を含む水蒸気を、炉本体２５基端部の水蒸気導入管３０へと供給する水蒸気供給配管であって、該水蒸気供給配管５５の途中には送風機５６と、三方弁等の流路切替弁５７とを備えている。また、図中の５８は前記木質バイオマス発電施設１３にて生成した熱分解ガスを貯蔵する熱分解ガス貯蔵タンク１６と、前記水蒸気供給配管５５途中の前記流路切替弁５７とを連結する熱分解ガス供給配管である。
【００５８】
前記流路切替弁５７は、前記燃焼処理炉２３の定常運転時には前記含水軽質タール貯蔵タンク２２上端部側と連通させるように流路を切り替え、タール揮発成分を含む水蒸気を高温雰囲気下の炉本体２５内へと供給して水蒸気中のタール揮発成分を燃焼処理可能とする。一方、燃焼処理炉２３の起動時（予熱運転時）には近傍の前記木質バイオマス発電施設１３の熱分解ガス貯蔵タンク１６と、前記熱分解ガス供給配管５８を介して連通させるように流路を切り替え、木質バイオマス発電施設１３にて生成した発電用の熱分解ガスの一部を炉本体２５内へと供給して予熱バーナ２９の火炎に吹き込んで混焼させ、予熱運転時の補助燃料として利用することにより、前記予熱バーナ２９の燃料であるプロパンガスの使用量を抑えながらも、早期に予熱運転を完了して定常運転へと切り替え可能としている。
【００５９】
なお、図２に示すように、前記熱分解ガス貯蔵タンク１６には、貯蔵する熱分解ガスを発電用にガスエンジン１７へと供給するメインの熱分解ガス供給配管１８と、予熱運転用に燃焼処理炉２３へと供給するサブの熱分解ガス供給配管５８とを併設しており、前記熱分解ガス貯蔵タンク１６にある程度余裕を持って熱分解ガスを貯蔵しておけば、ガスエンジン１７と燃焼処理炉２３の両方に同時に熱分解ガスを供給可能としており、例えば、発電を行いながら燃焼処理炉２３の予熱運転にも利用できる構成としている。
【００６０】
また、本実施例では、前記熱分解ガス供給配管５８を水蒸気供給配管５５途中の流路切替弁５７に連結し、熱分解ガス貯蔵タンク１６から供給される熱分解ガスを一旦水蒸気供給配管５５を経由させて燃焼処理炉２３の炉本体２５内に供給する構成としたが、例えば、前記熱分解ガス供給配管５８を前記炉本体２５に直結し、熱分解ガス貯蔵タンク１６から供給される熱分解ガスを炉本体２５内に直接供給する構成とすることもできる。
【００６１】
図中の５９は前記燃焼処理炉２３やその付帯装置の運転制御用のタール燃焼制御器であって、前記各種センサ類からの検出値及び各機器への制御信号等を入出力する入出力部や、各種設定値を登録する設定記憶部、及びこれら各種の検出値や設定値等を基に各種制御を実行する制御部等を具備している。
【００６２】
そして、木質バイオマス発電施設１３にて発生する木質系のタール含有廃水を処理するにあたっては、発生したタール含有廃水を木質バイオマス発電施設１３近傍の廃水貯蔵タンク１９に随時投入して貯蔵しておく。そして、前記廃水貯蔵タンク１９がタール含有廃水で略一杯になれば、隣接する比重分離機２０にて比較的軽量な含水軽質タールと比較的重量な重質タールとに比重分離し、分離した含水軽質タールは含水軽質タール貯蔵タンク２２に、重質タールは重質タール貯蔵タンク２１にそれぞれ投入して個別に貯蔵する。
【００６３】
そして、前記含水軽質タール貯蔵タンク２２、重質タール貯蔵タンク２１に貯蔵した含水軽質タール、重質タールを前記燃焼処理炉２３にて処理するときには、先ず、前記含水軽質タール貯蔵タンク２２の温水ヒータ５０に温水を供給し、貯蔵した含水軽質タールを略７０〜９０℃に加熱して含有水分を蒸発させ、若干のタール揮発成分を含む水蒸気と軽質タールとに加熱分離する。また、前記重質タール貯蔵タンク２１の温水ヒータ４６にも温水を供給し、重質タールを略７０〜９０℃に加熱維持し、常温では高粘度で難燃性の重質タールを円滑に供給可能でかつ微粒化しやすい程度まで粘度を低下させる。
【００６４】
次いで、前記予熱バーナ２９にプロパンガスを供給して着火燃焼して予熱運転を開始すると共に、前記水蒸気供給配管５５途中の流路切替弁５７を前記木質バイオマス発電施設１３の熱分解ガス貯蔵タンク１６と連通させるように流路を切り替え、木質バイオマス由来の熱分解ガスを炉本体２５内へと供給して予熱バーナ２９のバーナ火炎中に吹き込んで混焼させ、予熱運転時の補助燃料として利用することにより、前記予熱バーナ２９のプロパンガスの使用量を抑えながらも、早期に予熱運転を完了可能とする。
【００６５】
そして、前記炉本体２５内がある程度予熱され、例えば排気ダクト３５から導出される排ガス温度が略５００℃以上となれば、前記送風機３９を駆動させて燃焼用空気（外気）を供給し、途中の熱交換器３７にて前記高温の排ガスと熱交換させて重質タールを霧化しやすい略２００〜３００℃程度に予熱した上で、前記予熱空気供給ダクト３８を介してバーナ２８へと供給する。なお、本発明者らが実施した実験データによれば、排ガス温度が略５００℃以上となれば、常温の燃焼用空気を熱交換後に略２００〜３００℃程度に予熱できることを確認している。
【００６６】
次いで、前記重質タール供給配管４３の供給ポンプ４４、及びコンプレッサ２６を駆動し、二流体方式の噴射ノズル２７から圧縮空気と共に重質タールを微粒化しながら噴射すると共に、前記予熱空気供給ダクト３８の予熱空気温度センサ４０、風量センサ４１の検出値、及びバーナ２８の燃焼量に基づき、予熱空気の予熱温度に応じた熱膨張の影響を加味した上で前記予熱空気量調整ダンパー４２の開度を調整制御しながらバーナ２８を着火燃焼させ、前記予熱バーナ２９は消火する。
【００６７】
なお、前記木質バイオマス発電施設１３の熱分解ガス貯蔵タンク１６からの熱分解ガスの供給は、予熱バーナ２９の消火のタイミングに合わせて停止しても良いが、炉本体２５内をより迅速に昇温させて予熱運転を早期に完了しようとするのであれば、予熱バーナ２９の消火後も前記熱分解ガスを継続して炉本体２５内に供給し、前記予熱バーナ２９の近傍に位置するバーナ２８の火炎中に吹き込んで混焼させると良い。
【００６８】
そして、前記排ガス温度センサ３６にて検出される排ガス温度が、タール揮発成分や軽質タール微粒分を完全燃焼可能な略８５０℃となれば予熱運転を終了して定常運転に移行する。
【００６９】
定常運転に移行すると、前記流路切替弁５７の流路を含水軽質タール貯蔵タンク２２上端部と連通する側に切り替え、該含水軽質タール貯蔵タンク２２にて加熱分離した若干のタール揮発成分を含む水蒸気を水蒸気供給配管５５、水蒸気導入管３０を介して燃焼処理炉２３の炉本体２５の基端部よりその接線方向から炉本体２５内へと導入すると共に、前記含水軽質タール貯蔵タンク２２底部側と連結した軽質タール供給配管５１の供給ポンプ５２、及びコンプレッサ３１を駆動し、二流体方式の噴射ノズル３２から圧縮空気と共に軽質タールを微粒化しながら炉本体２５の中間部より炉本体２５内へと導入する。
【００７０】
そして、略８５０℃以上の高温雰囲気下の炉本体２５基端部より導入した水蒸気は炉本体２５の内壁である蓄熱性のキャスター２４表面に沿って旋回しながら下流方向へと流下していき、その間に前記バーナ２８からの燃焼ガスと密に接触し、これにより水蒸気中に少量しか含まれていないことで燃焼させることの困難なタール揮発成分は効率よく燃焼処理される。また、炉本体２５の中間部から噴射・導入される軽質タール微粒分は高温の炉本体２５内で容易に霧化し、その状態で、前記同様にバーナ２８からの燃焼ガスと接触することで効率よく燃焼処理される。
【００７１】
このように、本発明は、従来、木質バイオマス発電施設で副産物として発生し、あまり有効な用途もなくて多量に余っており、そのまま燃焼処理しようとしても多くの化石燃料を要していたタール含有廃水が、バーナ燃料として有効利用可能な重質タールを含んでいる点に着目したものであり、タール含有廃水を重質タールと含水軽質タールとに比重分離した上で、前記重質タールは化石燃料に代えて燃焼処理炉２３のバーナ２８用の燃料として有効利用する一方、残りの難燃性でバーナ燃料としては不適な含水軽質タールはタール揮発成分を含む水蒸気と軽質タールとに更に加熱分離した上で前記燃焼処理炉２３の炉本体２５内に個別に導入することで前記タール分を効率よく燃焼処理可能としている。これにより、木質バイオマス発電施設を操業する上でネックとなっていたタール含有廃水を化石燃料の使用量を抑えながら好適に処理でき、環境負荷低減施設である木質バイオマス発電施設の普及にも寄与できるものとなる。
【００７２】
また、前記燃焼処理炉２３を木質バイオマス発電施設１３の近傍に設置し、該木質バイオマス発電施設１３にて生成される発電用の熱分解ガスの一部を前記燃焼処理炉２３に供給してその予熱運転用の補助燃料として活用するようにすれば、予熱運転時の化石燃料の使用量を抑えながらも予熱運転を早期に完了できて定常運転に切り替えられるといった効果も期待できてより好適なものとなる。
【産業上の利用可能性】
【００７３】
本発明は、木質バイオマス発電施設にて副産物として発生する木質系のタール含有廃水の処理方法として広く利用できる。
【符号の説明】
【００７４】
２…ガス化工程                      ３…ガス精製工程
４…発電工程                        ５…廃水貯蔵工程
６…比重分離工程                    ７…タール貯蔵工程
８…重質タール貯蔵工程（タール貯蔵工程）
９…含水軽質タール貯蔵工程（タール貯蔵工程）
１０…加熱分離工程                  １１…タール燃焼処理工程
１２…燃焼用空気予熱工程
１３…木質バイオマス発電施設
１４…ガス化炉（木質バイオマス発電施設）
１５…ガス精製機（木質バイオマス発電施設）
１６…熱分解ガス貯蔵タンク（木質バイオマス発電施設）
１７…ガスエンジン（木質バイオマス発電施設）
１８、５８…熱分解ガス供給配管      １９…廃水貯蔵タンク
２０…比重分離機                    ２１…重質タール貯蔵タンク
２２…軽質タール貯蔵タンク          ２３…燃焼処理炉
２４…キャスター                    ２５…炉本体
２６、３１…コンプレッサ            ２７、３２…噴射ノズル
２８…バーナ                        ２９…予熱バーナ
３０…水蒸気導入管                  ３３…軽質タール導入管
３４…縮径部                        ３５…排気ダクト
３７…熱交換器                      ３８…予熱空気供給ダクト
３９…送風機                        ４０…予熱空気温度センサ
４１…風量センサ                    ４２…予熱空気量調整ダンパー
４３…重質タール供給配管            ４６、５０…温水ヒータ
５１…軽質タール供給配管            ５５…水蒸気供給配管
５７…流路切替弁                    ５９…タール燃焼制御器
【図１】
2020193764.tif 000003
【図２】
2020193764.tif 000004
【図３】
2020193764.tif 000005
【図４】
2020193764.tif 000006